(57)【特許請求の範囲】
【請求項１】
光源を支持する支持体と、第１開口を有し、該第１開口に前記光源が挿通された状態で前記支持体を覆い、前記光源が発した光を反射する反射シートとを備える光源装置において、
該反射シートを前記支持体の縁部に固定する固定具を備え、
前記反射シートは、
周縁の一部から前記支持体の方向に延出する延出部と、
該延出部に設けられた第２開口と
を更に有し、
前記固定具は、
前記延出部が挿入される第１貫通孔と、
該第１貫通孔の内面から突出し、前記第２開口に挿通する第１突出部と、
前記第１貫通孔の内面から突出し、前記第１突出部の突出方向への前記延出部の移動を制限する第２突出部と
を有すること
を特徴とする光源装置。
【請求項２】
前記第２突出部は前記第１貫通孔の貫通方向に長い柱状をなすこと
を特徴とする請求項１に記載の光源装置。
【請求項３】
光源を支持する支持体と、第１開口を有し、該第１開口に前記光源が挿通された状態で前記支持体を覆い、前記光源が発した光を反射する反射シートとを備える光源装置において、
該反射シートを前記支持体の縁部に固定する固定具を備え、
前記反射シートは、
周縁の一部から前記支持体の方向に延出する延出部と、
該延出部に設けられた第２開口と
を更に有し、
前記固定具は、
前記延出部が挿入される第１貫通孔と、
該第１貫通孔の内面から突出し、前記第２開口に挿通する第１突出部と
を有し、
前記第２開口の前記支持体側の曲率は、前記周縁側の曲率よりも大きいこと
を特徴とする光源装置。
【請求項４】
光源を支持する支持体と、第１開口を有し、該第１開口に前記光源が挿通された状態で前記支持体を覆い、前記光源が発した光を反射する反射シートとを備える光源装置において、
該反射シートを前記支持体の縁部に固定する固定具を備え、
前記反射シートは、
周縁の一部から前記支持体の方向に延出する延出部と、
該延出部に設けられた第２開口と
を更に有し、
前記固定具は、
前記延出部が挿入される第１貫通孔と、
該第１貫通孔の内面から突出し、前記第２開口に挿通する第１突出部と、
前記第１貫通孔が設けられた位置にて該第１貫通孔の貫通方向に略垂直な方向に突出する第３突出部と
を有し、
前記支持体は、前記第３突出部が挿入される第２貫通孔を有すること
を特徴とする光源装置。
【請求項５】
前記固定具は、外側に向かって突出する第４突出部を有し、
前記支持体は、該第４突出部が挿通される第３貫通孔を有すること
を特徴とする請求項１から請求項４のいずれか１つに記載の光源装置。
【請求項６】
前記固定具は、前記反射シートに略垂直な方向に突出した第５突出部を有し、
前記反射シートは、前記縁部に設けられ、前記第５突出部が挿通される第３開口を有すること
を特徴とする請求項１から請求項５のいずれか１つに記載の光源装置。
【請求項７】
画像を表示する表示パネルと、
該表示パネルに光を照射する請求項１から請求項６のいずれか１つに記載の光源装置と
を備えることを特徴とする表示装置。
【請求項８】
請求項７に記載の表示装置と、
テレビジョン放送を受信する受信部と
を備え、
該受信部が受信したテレビジョン放送に基づいて、前記表示装置に画像を表示すること
を特徴とするテレビジョン受信機。
【発明の詳細な説明】
【技術分野】
【０００１】
本発明は、画像を表示する表示パネルに光を照射する光源装置、並びに、該光源装置を備える表示装置及びテレビジョン受信機に関する。
【背景技術】
【０００２】
画像を表示する液晶の表示パネルに光を照射する光源装置として、内側の底面で、例えばＬＥＤ（Light Emitting Diode）とレンズとによって構成される光源を支持する皿状の支持体を備え、光源から支持体の開放側に向かって光が照射される光源装置（例えば特許文献１参照）がある。
【０００３】
特許文献１に記載の光源装置は、光源が発した光を反射する反射シートを備える。反射シートは、開口を有し、この開口に光源が挿通されている状態で支持体の内面を覆っている。更に、支持体の周縁部には、支持体の開放側に突出した突出部が設けられており、反射シートの周縁部にも開口が設けられている。支持体の突出部は、反射シートの周縁部に設けられた開口に挿通されている。これにより、面に沿った反射シートの移動が制限されている。
【先行技術文献】
【特許文献】
【０００４】
【特許文献１】特開２０１２−１０４２３２号公報
【発明の概要】
【発明が解決しようとする課題】
【０００５】
特許文献１に記載の光源装置の製造には、当然のことながら、反射シートを支持体上に配置する工程が含まれる。特許文献１に記載の光源装置の構成では、反射シートが支持体上に配置されただけでは、支持体の底面に略垂直な方向への反射シートの浮き上がりを防止することができない。
【０００６】
特許文献１に記載の光源装置では、板面が支持体の底面と対向するように拡散板が配置される。このとき、反射シートの周縁部は、拡散板と支持体とによって挟まれる。拡散板には、光源から直接に光が照射されると共に、反射シートが反射した光源の光が照射され、拡散板は照射された光を拡散する。拡散板によって拡散された光は表示パネルに向けて照射される。
【０００７】
反射シートが浮き上がっている状態で拡散板が配置された場合、反射シートに皺が発生する確率が高い。特許文献１に記載の光源装置において、反射シートに皺がある場合、拡散板から表示パネルに向けて強度が均一な光を照射することができず、表示パネルに表示される画像の品質が低い。
【０００８】
本発明は斯かる事情に鑑みてなされたものであり、その目的とするところは、反射シートが支持体上に配置された段階で反射シートの浮き上がりを防止することができる光源装置、並びに、該光源装置を備える表示装置及びテレビジョン受信機を提供することにある。
【課題を解決するための手段】
【０００９】
本発明に係る光源装置は、光源を支持する支持体と、第１開口を有し、該第１開口に前記光源が挿通された状態で前記支持体を覆い、前記光源が発した光を反射する反射シートとを備える光源装置において、該反射シートを前記支持体の縁部に固定する固定具を備え、前記反射シートは、周縁の一部から前記支持体の方向に延出する延出部と、該延出部に設けられた第２開口とを更に有し、前記固定具は、前記延出部が挿入される第１貫通孔と、該第１貫通孔の内面から突出し、前記第２開口に挿通する第１突出部と、前記第１貫通孔の内面から突出し、前記第１突出部の突出方向への前記延出部の移動を制限する第２突出部とを有することを特徴とする。
【００１１】
本発明に係る光源装置は、前記第２突出部は前記第１貫通孔の貫通方向に長い柱状をなすことを特徴とする。
【００１２】
本発明に係る光源装置は、光源を支持する支持体と、第１開口を有し、該第１開口に前記光源が挿通された状態で前記支持体を覆い、前記光源が発した光を反射する反射シートとを備える光源装置において、該反射シートを前記支持体の縁部に固定する固定具を備え、前記反射シートは、周縁の一部から前記支持体の方向に延出する延出部と、該延出部に設けられた第２開口とを更に有し、前記固定具は、前記延出部が挿入される第１貫通孔と、該第１貫通孔の内面から突出し、前記第２開口に挿通する第１突出部とを有し、前記第２開口の前記支持体側の曲率は、前記周縁側の曲率よりも大きいことを特徴とする。
本発明に係る光源装置は、光源を支持する支持体と、第１開口を有し、該第１開口に前記光源が挿通された状態で前記支持体を覆い、前記光源が発した光を反射する反射シートとを備える光源装置において、該反射シートを前記支持体の縁部に固定する固定具を備え、前記反射シートは、周縁の一部から前記支持体の方向に延出する延出部と、該延出部に設けられた第２開口とを更に有し、前記固定具は、前記延出部が挿入される第１貫通孔と、該第１貫通孔の内面から突出し、前記第２開口に挿通する第１突出部と、前記第１貫通孔が設けられた位置にて該第１貫通孔の貫通方向に略垂直な方向に突出する第３突出部とを有し、前記支持体は、前記第３突出部が挿入される第２貫通孔を有することを特徴とする。
【００１３】
本発明に係る光源装置は、前記固定具は、外側に向かって突出する第４突出部を有し、前記支持体は、該第４突出部が挿通される第３貫通孔を有することを特徴とする。
【００１５】
本発明に係る光源装置は、前記固定具は、前記反射シートに略垂直な方向に突出した第５突出部を有し、前記反射シートは、前記縁部に設けられ、前記第５突出部が挿通される第３開口を有することを特徴とする。
【００１６】
本発明に係る表示装置は、画像を表示する表示パネルと、該表示パネルに光を照射する前述の光源装置とを備えることを特徴とする。
【００１７】
本発明に係るテレビジョン受信機は、前述した表示装置と、テレビジョン放送を受信する受信部とを備え、該受信部が受信したテレビジョン放送に基づいて、前記表示装置に画像を表示することを特徴とする。
【発明の効果】
【００１８】
本発明によれば、反射シートが支持体上に配置された段階で反射シートの浮き上がりを防止することができる。
【図面の簡単な説明】
【００１９】
【図１】実施の形態１におけるテレビジョン受信機の外観図である。
【図２】表示装置の分解斜視図である。
【図３】キャビネットが取り外された表示装置の部分断面図である。
【図４】支持体の周縁部を部分的に示す概略図である。
【図５】反射シートの周縁部を部分的に示す概略図である。
【図６】反射シートの形成の説明図である。
【図７】固定具を部分的に示す斜視図である。
【図８】固定具の前面を部分的に示す概略図である。
【図９】固定具の側面を部分的に示す概略図である。
【図１０】反射シートの取付けの説明図である。
【図１１】支持体に取付けられた反射シートの前面を示す概略図である。
【図１２】支持体に取付けられた反射シートの一部の拡大図である。
【図１３】キャビネットが取り外れた実施の形態２における表示装置の部分断面図である。
【図１４】固定具を部分的に示す斜視図である。
【図１５】固定具の前面を部分的に示す概略図である。
【図１６】キャビネットが取り外された実施の形態３における表示装置の部分断面図である。
【図１７】キャビネットが取り外された実施の形態４における表示装置の部分断面図である。
【発明を実施するための形態】
【００２０】
以下、本発明をその実施の形態を示す図面に基づいて詳述する。
（実施の形態１）
図１は、実施の形態１におけるテレビジョン受信機１の外観図である。テレビジョン受信機１は、表示装置１０、受信部１１、信号処理部１２及びスタンド１３を備える。
【００２１】
表示装置１０は、矩形板状をなし、下側に配置されたスタンド１３によって縦姿勢で支持されている。受信部１１は、図示しないアンテナに接続されており、アンテナを介してテレビジョン放送を受信する。信号処理部１２は、受信部１１が受信したテレビジョン放送に係るデータを復調し、復調したデータから画像データを分離し、分離した画像データを出力する。表示装置１０は、信号処理部１２が出力した画像データに基づく画像を表示する。
【００２２】
表示装置１０は画像を表示する矩形状の表示パネル２０を備える。表示パネル２０は、カラーフィルタ基板とアレー基板との間に液晶を封入することによって構成される液晶パネルである。表示パネル２０の周縁部の前側は、中央部に開口２１ａを有する矩形枠状のカバー２１によって覆われている。表示パネル２０において、画像を表示する表示面の中央部に位置する有効表示領域は開口２１ａから露出している。信号処理部１２が出力した画像データに基づく画像は、開口２１ａから露出している表示面に表示される。
【００２３】
開口２１ａの縦及び横の寸法は、カバー２１が表示パネル２０の周縁部を覆うことができるように、表示パネル２０の縦及び横の寸法よりも若干小さい。
表示パネル２０の後側はキャビネット２２によって覆われている。
【００２４】
図２は表示装置１０の分解斜視図である。表示装置１０は、表示パネル２０、カバー２１及びキャビネット２２に加えて、シャーシ２３及び光源装置３を有する。光源装置３は、支持体３０、４つの固定具３１，３１，３１，３１、基板３２、複数の光源３３，３３，・・・，３３、反射シート３４及び拡散板３５を有する。
【００２５】
支持体３０は矩形皿状をなし、支持体３０の前面は開放されている。支持体３０は所謂バックライトシャーシである。支持体３０の各辺の縁部において、前側に、４つの長板状の固定具３１，３１，３１，３１が配置されている。４つの固定具３１，３１，３１，３１夫々は、長手方向が辺と略平行となるように配置され、支持体３０の辺に沿っている。支持体３０の底面の前側には矩形状の基板３２が配置される。基板３２の前面には、複数の光源３３，３３，・・・，３３が格子状に配置されている。支持体３０は内側の底面で複数の光源３３，３３，・・・，３３を支持する。
【００２６】
反射シート３４は、矩形皿状をなし、底面に複数の開口３４ａ，３４ａ，・・・，３４ａを有し、これらは格子状に配置されている。反射シート３４は、複数の開口３４ａ，３４ａ，・・・，３４ａ夫々が複数の光源３３，３３，・・・，３３に挿通されている状態で支持体３０の内面を覆う。矩形状の拡散板３５は、反射シート３４の前側に配置されており、反射シート３４を介して支持体３０によって支持される。拡散板３５の前側には、矩形枠状のシャーシ２３を介して、カバー２１によって周縁部が覆われた表示パネル２０が配置されている。支持体３０の後側はキャビネット２２によって覆われる。
開口３４ａは第１開口として機能する。
【００２７】
図３はキャビネット２２が取り外された表示装置１０の部分断面図である。図３には、キャビネット２２が取り外された表示装置１０の縦断面の上側が示されている。この表示装置１０において、下側の縦断面、及び、両側の横断面夫々は、上側の縦断面と同様である。
【００２８】
支持体３０は、矩形皿状の底壁３０ａと、底壁３０ａの周縁部から前側に突出した板状の側壁３０ｂとを有する。支持体３０、具体的には、底壁３０ａの内側の底面に板面が密着した状態で基板３２が配置されており、基板３２の前面に光源３３が配置されている。光源３３はＬＥＤ３３ａ及びレンズ３３ｂを有する。ＬＥＤ３３ａは基板３２の前面に配置されており、ＬＥＤ３３ａの前側はレンズ３３ｂによって覆われている。他の光源３３，３３，・・・，３３も図３に示す光源３３と同様に構成されている。
【００２９】
反射シート３４は、前述したように、開口３４ａに光源３３が挿通された状態で支持体３０の内面、具体的には、底壁３０ａの前面を覆っている。反射シート３４は固定具３１に係止される。固定具３１は、反射シート３４を支持体３０の底壁３０ａの縁部に固定する。拡散板３５は、支持体３０の底面を覆うように配置され、拡散板３５の板面は支持体３０の底面に対向している。拡散板３５の周縁部は、固定具３１及び反射シート３４を介して支持体３０によって支持されている。支持体３０の側壁３０ｂによって、拡散板３５の端面は覆われている。
【００３０】
以上のように構成された光源装置３においては、基板３２の前面に配置されたＬＥＤ３３ａは拡散板３５に向けて光を発する。レンズ３３ｂは、ＬＥＤ３３ａから発した光を拡散させる。レンズ３３ｂによって拡散された光は前側に照射される。レンズ３３ｂによって拡散された光に関して、一部分は拡散板３５に照射され、他の部分は反射シート３４に照射される。反射シート３４は、レンズ３３ｂから照射された光を反射し、拡散板３５に照射する。拡散板３５は、照射された光を更に拡散し、拡散した光を前側に照射する。反射シート３４は、更に、拡散板３５で反射された光を更に反射して再び拡散板３５に照射する。
【００３１】
拡散板３５の周縁部、及び、支持体３０の側壁３０ｂ夫々の前側を覆うようにシャーシ２３が配置されている。シャーシ２３及び拡散板３５の周縁部の間には弾性部材２４が配置されている。拡散板３５の前側には、矩形状の光学シート群２５が配置されている。光学シート群２５は、夫々が同様の矩形状をなす複数枚の光学シートが積層されることによって構成されている。光学シート群２５は視野拡大シート又は反射防止シート等であり、光学シート群２５を構成する複数の光学シート夫々は、自身を通過する光に対して種々の作用を行う。光学シート群２５の周縁部はシャーシ２３によって支持されている。
【００３２】
光学シート群２５の前面を覆うように表示パネル２０が配置されており、表示パネル２０の周縁部もシャーシ２３によって支持されている。カバー２１は、表示パネル２０の周縁部の前側に加えて、表示パネル２０及び拡散板３５の端面も覆っている。
【００３３】
以上のように構成された表示装置１０において、光源装置３の拡散板３５によって拡散された光は、光学シート群２５を介して表示パネル２０に照射される。表示パネル２０は前述したように液晶パネルであり、表示パネル２０を通過する光は図示しない駆動回路によって変調される。この駆動回路は、信号処理部１２が出力した画像データに基づいて変調を行う。このため、表示パネル２０の表示面に、信号処理部１２が出力した画像データに基づく画像が表示される。表示パネル２０の周縁部とカバー２１との間には弾性部材２６が配置されている。
【００３４】
光源装置３は、４つの固定具３１，３１，３１，３１によって反射シート３４が支持体３０に固定される構成に特徴を有する。以下では、この構成を説明する。
【００３５】
図４は支持体３０の周縁部を部分的に示す概略図である。図４には、前側から見た支持体３０が示されており、支持体３０には基板３２が配置されている。図４に示すように、支持体３０は、底壁３０ａの縁部において、底壁３０ａに略垂直な方向に貫通する２つの貫通孔３０ｃ，３０ｃと、側壁３０ｂにおいて側壁３０ｂに略垂直な方向に貫通する貫通孔３０ｄとを有する。２つの貫通孔３０ｃ，３０ｃは側壁３０ｂに沿って並設されており、貫通孔３０ｄは２つの貫通孔３０ｃ，３０ｃの間に位置している。２つの貫通孔３０ｃ，３０ｃと貫通孔３０ｄとからなる構成は、支持体３０の各辺部分に少なくとも１つ設けられている。
【００３６】
図５は反射シート３４の周縁部を部分的に示す概略図である。図５には、前側から見た反射シート３４が示されている。図３及び図５に示すように、反射シート３４は、支持体３０の内面を覆う覆部３４ｂと、覆部３４ｂの周縁の一部から、支持体３０の方向、即ち、後側に延出する延出部３４ｃとを有する。覆部３４ｂは、前側から見て矩形状をなす。覆部３４ｂに複数の開口３４ａ，３４ａ，・・・，３４ａが設けられており、覆部３４ｂの周縁部は固定具３１及び拡散板３５に挟まれている。反射シート３４は、更に、延出部３４ｃに設けられた開口３４ｄを有する。開口３４ｄの一部は覆部３４ｂにも及んでいる。更に、反射シート３４は、覆部３４ｂの縁部に設けられた開口３４ｅを有する。延出部３４ｃと開口３４ｄ，３４ｅとからなる構成は、反射シート３４の各辺部分に少なくとも１つ設けられている。開口３４ｄは第２開口として機能し、開口３４ｅは第３開口として機能する。
【００３７】
図６は反射シート３４の形成の説明図である。図６には、反射シート３４が形成される前の反射シート４０が示されている。反射シート４０は、反射シート３４と同様に、複数の開口３４ａ，３４ａ，・・・，３４ａ、覆部３４ｂ、延出部３４ｃ及び開口３４ｄ，３４ｅを有する。反射シート４０において、延出部３４ｃが後側ではなく、反射シート４０の底面に略平行な方向に延出している点が反射シート３４と異なる。反射シート４０において延出部３４ｃを後側に折り曲げることによって反射シート３４が形成される。図６に示す破線は折り線である。
【００３８】
図６からわかるように、開口３４ｄは円状をなし、反射シート３４の開口３４ｄに関して、支持体３０側の曲率は、覆部３４ｂの周縁側の曲率よりも大きい。このため、開口３４ｄの支持体３０側の縁は、支持体３０側に凸の放物線を描き、横方向の幅は後側に向かって徐々に狭くなっている。また、延出部３４ｃは、図６からわかるように、下底が反射シート３４の覆部３４ｂ側に位置し、上底が支持体３０側に位置する台形状をなしている。下底は上底よりも長い。延出部３４ｃは等脚台形状をなすことが好ましい。開口３４ｄは延出部３４ｃの下底の中央部に設けられている。
【００３９】
図７は固定具３１を部分的に示す斜視図であり、図８は固定具３１の前面を部分的に示す概略図であり、図９は固定具３１の側面を部分的に示す概略図である。
図７、図８及び図９に示すように、固定具３１は、矩形状の長板部３１ａを有する。表示装置１０の上側及び下側夫々に配置される固定具３１における長板部３１ａの長手方向は表示装置１０の横方向と略同じであり、表示装置１０の左右の両側夫々に配置される固定具３１における長板部３１ａの長手方向は表示装置１０の縦方向と略同じである。４つの長板部３１ａ夫々の板面は拡散板３５の板面と対向している。
【００４０】
図３、図７及び図８に示すように、固定具３１の長板部３１ａには、板面に略垂直な方向に貫通した矩形状の貫通孔３１ｂが設けられている。固定具３１は、貫通孔３１ｂの内面から支持体３０の外側に向かって突出し、支持体３０側に傾いている突出部３１ｃと、貫通孔３１ｂの内面から支持体３０の内側に向かって突出した２つの突出部３１ｄ，３１ｄとを有する。２つの突出部３１ｄ，３１ｄ夫々は、支持体３０側に向かって突出幅が徐々に大きくなる形状をなす。２つの突出部３１ｄ，３１ｄは長板部３１ａの長手方向に並置されており、突出部３１ｃは２つの突出部３１ｄ，３１ｄの間に位置している。
貫通孔３１ｂは第１貫通孔として機能し、突出部３１ｃは第１突出部として機能し、突出部３１ｄは第２突出部として機能する。
【００４１】
図３、図７、図８及び図９に示すように、貫通孔３１ｂと長板部３１ａの外側の縁との間の長板部３１ａの前面から前側に、矩形状の板部３１ｅが突出している。板部３１ｅの板面は長板部３１ａの板面と略垂直であり、板部３１ｅの長手方向は長板部３１ａの長手方向と略同じである。図３、図８及び図９に示すように、固定具３１は、貫通孔３１ｂが設けられている位置において、板部３１ｅから支持体３０の外側に向かって突出する突出部３１ｆと、長板部３１ａの後面から後側に突出している２つの突出部３１ｇ，３１ｇとを更に有する。突出部３１ｆの突出方向は、貫通孔３１ｂの貫通方向、即ち、前後方向に略垂直な方向である。２つの突出部３１ｇ，３１ｇは長板部３１ａの長手方向に並置されており、２つの突出部３１ｇ，３１ｇの間には貫通孔３１ｂ及び板部３１ｅが位置している。
突出部３１ｆは第３突出部として機能し、突出部３１ｇは第４突出部として機能する。
【００４２】
また、図３、図７、図８及び図９に示すように、固定具３１は、長板部３１ａの前面から前側、即ち、反射シート３４の覆部３４ｂの縁部に略垂直な方向に突出した板状の突出部３１ｈを有する。突出部３１ｈの板面は長板部３１ａの板面と略垂直である。突出部３１ｈの長手方向は長板部３１ａの長手方向と略同じである。
突出部３１ｈは第５突出部として機能する。
【００４３】
貫通孔３１ｂ、突出部３１ｃ，３１ｄ，３１ｄ，３１ｆ，３１ｇ，３１ｇ及び板部３１ｅからなる構成は、長板部３１ａにおいて少なくとも１つ設けられている。同様に、突出部３１ｈも長板部３１ａにおいて少なくとも１つ設けられている。
【００４４】
図１０は反射シート３４の取付けの説明図である。図１０には、支持体３０及び反射シート３４夫々の断面が部分的に示されている。支持体３０において、底壁３０ａ及び側壁３０ｂ夫々の断面の位置は異なっている。また、図１０には、長手方向から見た固定具３１が示されている。
【００４５】
まず、固定具３１の突出部３１ｈを反射シート３４の開口３４ｅに挿通させて、反射シート３４の延出部３４ｃを固定具３１の貫通孔３１ｂに挿入する。そして、延出部３４ｃに設けられた開口３４ｄに固定具３１の突出部３１ｃを挿通させる。これにより、反射シート３４は固定具３１に係止される。
【００４６】
前述したように、延出部３４ｃは台形状をなしているため、延出部３４ｃを貫通孔３１ｂに容易に挿入することができる。延出部３４ｃが等脚台形状をなす場合、貫通孔３１ｂへの延出部３４ｃの挿入がより容易である。また、延出部３４ｃの延出長、即ち、延出部３４ｃの上底及び下底間の長さが短い程、延出部３４ｃの弾性力が大きく、反射シート３４の延出部３４ｃが固定具３１の突出部３１ｃから外れにくい。更に、前述したように、延出部３４ｃに設けられた開口３４ｄについて、支持体３０側の曲率は、覆部３４ｂ側の曲率よりも大きいため、開口３４ｄに突出部３１ｃを容易に挿通させることができる。また、前述したように、突出部３１ｃは、支持体３０の外側に向かって突出すると共に支持体３０側に傾いているため、突出部３１ｃを開口３４ｄにスムーズに挿通させることができる。
【００４７】
反射シート３４の取付けにおいては、更に、固定具３１の２つの突出部３１ｇ，３１ｇを支持体３０の２つの貫通孔３０ｃ，３０ｃに挿通させ、固定具３１の突出部３１ｆを支持体３０の貫通孔３０ｄに挿入させる。突出部３１ｇ，３１ｇが貫通孔３０ｃ，３０ｃに挿通され、突出部３１ｆが貫通孔３０ｄに挿入されるため、固定具３１は支持体３０に係合する。
以上のように、固定具３１に突出部３１ｇ，３１ｇ，３１ｆを設け、支持体３０に貫通孔３０ｃ，３０ｃ，３０ｄを設けることによって、固定具３１を支持体３０の縁部に容易に係合させることができる。この反射シート３４の取付けは支持体３０の各辺部分において行われる。固定具３１は、反射シート３４との係止と、支持体３０との係合とによって、反射シート３４を支持体３０に固定する。貫通孔３０ｃは第３貫通孔として機能し、貫通孔３０ｄは第２貫通孔として機能する。
【００４８】
図１１は支持体３０に取付けられた反射シート３４の前面を示す概略図であり、図１２は支持体３０に取付けられた反射シート３４の一部の拡大図である。図１２には、図１１において破線で囲った反射した反射シート３４の一部が示されている。
【００４９】
固定具３１を用いて反射シート３４を支持体３０に取付けた場合、図１１及び図１２に示すように、支持体３０の各辺部分において、固定具３１の突出部３１ｈは反射シート３４の開口３４ｅを挿通している。このため、反射シート３４が支持体３０上に配置された段階で、反射シート３４の覆部３４ｂの面に沿った反射シート３４の移動が制限される。
【００５０】
図３、図１１及び図１２に示すように、反射シート３４の延出部３４ｃが固定具３１の貫通孔３１ｂに挿入され、延出部３４ｃに設けられた開口３４ｄに、固定具３１の貫通孔３１ｂの内面に設けられた突出部３１ｃが挿通する。これによって、反射シート３４は固定具３１に係止される。このため、反射シート３４が支持体３０上に配置された段階で支持体３０の底面に略垂直な方向への反射シート３４の浮き上がりを防止することができる。従って、反射シート３４を支持体３０上に配置した後、特別な処置をすることなく拡散板３５を配置しても、反射シート３４に皺が発生する確率は低い。このため、表示される画像の品質が高い表示装置１０が安価に製造される。
【００５１】
また、固定具３１の２つの突出部３１ｄ，３１ｄ夫々は、反射シート３４において、開口３４ｄを除く延出部３４ｃの他の部分に対向し、突出部３１ｃの突出方向への延出部３４ｃの移動を制限する。このため、反射シート３４及び固定具３１の係止が外れにくい。固定具３１の突出部３１ｃ及び２つの突出部３１ｄ，３１ｄが固定具３１の長板部３１ａの長手方向に沿って、突出部３１ｄ，３１ｃ，３１ｄの順に交互に設けられている。このため、突出部３１ｃの突出方向への延出部３４ｃの移動がより制限され、反射シート３４及び固定具３１の係止が更に外れにくい。
【００５２】
更に、固定具３１において、板部３１ｅは貫通孔３１ｂと長板部３１ａの外側の縁との間の長板部３１ａの前面から突出し、板部３１ｅに突出部３１ｆが設けられている。言い換えると、貫通孔３１ｂが設けられた位置に突出部３１ｆが設けられている。このため、固定具３１の突出部３１ｆが支持体３０の貫通孔３０ｄに挿入することによって固定具３１が支持体３０に係合している状態において、貫通孔３１ｂは、板部３１ｅの撓み用の孔として機能する。従って、貫通孔３１ｂは、反射シート３４の延出部３４ｃを挿入するための孔、及び、板部３１ｅの撓み用の孔として機能するので、固定具３１に設けられる貫通孔の数が少なく、固定具３１の強度は高い。
【００５３】
（実施の形態２）
実施の形態１において、固定具３１の突出部３１ｄは、支持体３０側に向かって突出幅が徐々に大きくなる形状をなしている。しかし、突出部３１ｄの形状はこの形状に限定されない。
以下では、実施の形態２について、実施の形態１と異なる点を説明する。後述する構成を除く他の構成については、実施の形態１と同様であるため、同様の符号を付してその説明を省略する。
【００５４】
図１３はキャビネット２２が取り外された実施の形態２における表示装置１０の部分断面図であり、図１４は固定具３１を部分的に示す斜視図であり、図１５は固定具３１の前面を部分的に示す概略図である。図１３、図１４及び図１５夫々は、図３、図７及び図８に対応している。
図１３、図１４及び図１５に示すように、２つの突出部３１ｄ，３１ｄ夫々は、貫通孔３１ｂの貫通方向、即ち、前後方向に長い柱状をなし、貫通孔３１ｂの内面、及び、板部３１ｅから支持体３０の内側に向かって突出している。
【００５５】
２つの突出部３１ｄ，３１ｄ夫々は矩形状の断面を有する。２つの突出部３１ｄ，３１ｄ夫々の後面は、突出部３１ｃよりも後側に位置し、２つの突出部３１ｄ，３１ｄ夫々の前面は、板部３１ｅの前側の端面と連続しており、突出部３１ｃよりも前側に位置する。
【００５６】
実施の形態２においても、実施の形態１と同様に、固定具３１の貫通孔３１ｂに反射シート３４の延出部３４ｃが挿入され、延出部３４ｃの開口３４ｄに固定具３１の突出部３１ｃが挿通される。このとき、２つの突出部３１ｄ，３１ｄ夫々は、実施の形態１と同様に、開口３４ｄを除く延出部３４ｃの他の部分と対向している。
【００５７】
以上のように、反射シート３４が固定具３１に係止された場合において、折り曲げられている延出部３４ｃが復元力によって突出部３１ｃの突出方向に移動したとき、２つの突出部３１ｄ，３１ｄ夫々は、柱状をなすため、延出部３４ｃに確実に当接し、延出部３４ｃの更なる移動が防止される。結果、突出部３１ｃの突出方向への延出部３４ｃの移動が確実に制限される。
実施の形態２において、突出部３１ｄの形状を除く他の構成は実施の形態１と同様であるため、実施の形態２におけるテレビジョン受信機１、表示装置１０及び光源装置３夫々は実施の形態１と同様の効果を奏する。
【００５８】
（実施の形態３）
実施の形態１において、固定具３１の突出部３１ｃの突出方向への延出部３４ｃの移動は固定具３１の突出部３１ｄによって制限されている。しかしながら、固定具３１の突出部３１ｃの突出方向への延出部３４ｃの移動を制限する構成は、固定具３１の突出部３１ｄを設ける構成に限定されず、突出部３１ｃが延出部３４ｃの移動を制限してもよい。
以下では、実施の形態３について、実施の形態１と異なる点を説明する。後述する構成を除く他の構成については、実施の形態１と同様であるため、同様の符号を付してその説明を省略する。
【００５９】
図１６は、キャビネット２２が取り外された実施の形態３における表示装置１０の部分断面図である。実施の形態３における固定具３１は、実施の形態１における固定具３１が有する構成部の中で、２つの突出部３１ｄ，３１ｄを除く他の構成部を有する。実施の形態３における光源装置３では、固定具３１の突出部３１ｃの先端は、図１６に示すように、支持体３０側に曲がっており、反射シート３４において、開口３４ｄの縁よりも下側に位置している。実施の形態３における突出部３１ｃは全体として鉤状をなしている。
このような構成された固定具３１においても、固定具３１の突出部３１ｃの突出方向への延出部３４ｃの移動を制限することができる。
【００６０】
なお、実施の形態３において、実施の形態１又は実施の形態２における突出部３１ｄと同様の一又は複数の突出部が固定具３１の貫通孔３１ｂに設けられていてもよい。この場合、固定具３１の突出部３１ｃの突出方向への延出部３４ｃの移動を更に制限することができる。
また、実施の形態２において、固定具３１の突出部３１ｃは実施の形態３と同様の形状をなしていてもよい。この場合、固定具３１の突出部３１ｃの突出方向への延出部３４ｃの移動を更に制限することができる。
【００６１】
（実施の形態４）
実施の形態１においては、支持体３０の貫通孔３０ｃ，３０ｃ，３０ｄに固定具３１の突出部３１ｇ，３１ｇ，３１ｆを挿通させることによって、固定具３１が支持体３０に取付けられている。しかしながら、固定具３１を支持体３０に取付ける構成は、支持体３０の貫通孔３０ｃ，３０ｃ，３０ｄに固定具３１の突出部３１ｇ，３１ｇ，３１ｆを挿通させる構成に限定されない。
以下では、実施の形態４について、実施の形態１と異なる点を説明する。後述する構成を除く他の構成については、実施の形態１と同様であるため、同様の符号を付してその説明を省略する。
【００６２】
図１７は、キャビネット２２が取り外された実施の形態４における表示装置１０の部分断面図である。実施の形態４における固定具３１は、実施の形態１における固定具３１が有する構成部の中で、突出部３１ｆを除く他の構成部を有する。また、実施の形態４における支持体３０は、実施の形態１における支持体３０が有する構成部の中で、貫通孔３０ｄを除く他の構成部を有する。実施の形態４における表示装置１０においては、支持体３０の貫通孔３０ｃ，３０ｃに固定具３１の突出部３１ｇ，３１ｇを挿通させることによって、固定具３１が支持体３０に取付けられている。
【００６３】
実施の形態４における光源装置３では、例えば、両面テープ又は接着剤等の接着部材によって支持体３０の側壁３０ｂに固定具３１の板部３１ｅを接着させてもよい。この場合であっても、固定具３１を支持体３０に取付けることができる。
【００６４】
なお、実施の形態４において、固定具３１の突出部３１ｃは実施の形態３と同様の形状をなしていてもよい。この場合、固定具３１の突出部３１ｃの突出方向への延出部３４ｃの移動を更に制限することができる。また、固定具３１の突出部３１ｄは実施の形態２と同様の形状をなしていてもよい。この場合、固定具３１の突出部３１ｃの突出方向への延出部３４ｃの移動が確実に制限される。
また、実施の形態１，２，４において、固定具３１の内面から突出している突出部３１ｄの数は２つに限定されず、１つ又は３つ以上であってもよい。
【００６５】
なお、実施の形態１〜４において、固定具３１を支持体３０に取付ける構成は、固定具３１を支持体３０に係合させる構成に限定されず、例えばビスによって固定具３１を支持体３０に取付ける構成であってもよい。
また、反射シート３４の延出部３４ｃに設けられている開口３４ｄの形状は、支持体３０側の曲率が反射シート３４の覆部３４ｂ側の曲率よりも大きい形状に限定されない。更に、開口３４ｄは円状に限定されず、例えば、横方向の幅が後側に向かって徐々に狭くなる三角形状であってもよい。更に、延出部３４ｃの形状は、台形状に限定されず、横方向の幅が後側に向かって狭くなる形状であればよい。
【００６６】
更に、表示装置１０の構成は、液晶パネルを用いた構成に限定されず、プラズマディスプレイパネル又はＥＬディスプレイパネル等を用いた構成であってもよい。
また、表示装置１０の用途は、受信部１１が受信したテレビジョン放送に基づく画像を表示することに限定されない。表示装置１０は、例えば、パーソナルコンピュータの表示装置として用いられてもよい。
【００６７】
本発明に係る光源装置は、光源（３３）を支持する支持体（３０）と、第１開口（３４ａ）を有し、該第１開口（３４ａ）に前記光源（３３）が挿通された状態で前記支持体（３０）を覆い、前記光源（３３）が発した光を反射する反射シート（３４）とを備える光源装置（３）において、該反射シート（３４）を前記支持体（３０）の縁部に固定する固定具（３１）を備え、前記反射シート（３４）は、周縁の一部から前記支持体（３０）の方向に延出する延出部（３４ｃ）と、該延出部（３４ｃ）に設けられた第２開口（３４ｄ）とを更に有し、前記固定具（３１）は、前記延出部（３４ｃ）が挿入される第１貫通孔（３１ｂ）と、該第１貫通孔（３１ｂ）の内面から突出し、前記第２開口（３４ｄ）に挿通する第１突出部（３１ｃ）とを有することを特徴とする。
【００６８】
本発明にあっては、支持体（３０）は光源（３３）を支持している。反射シート（３４）には第１開口（３４ａ）が設けられている。反射シート（３４）は、第１開口（３４ａ）に光源（３３）が挿通された状態で支持体（３０）を覆っており、光源（３３）が発した光を反射する。反射シート（３４）の周縁の一部から支持体（３０）の方向に延出部（３４ｃ）が延出しており、延出部（３４ｃ）には第２開口（３４ｄ）が設けられている。固定具（３１）には、第１貫通孔（３１ｂ）が設けられており、第１貫通孔（３１ｂ）の内面から第１突出部（３１ｃ）が突出している。延出部（３４ｃ）は第１貫通孔（３１ｂ）に挿入されており、第１突出部（３１ｃ）が第２開口（３４ｄ）に挿通している。これにより、反射シート（３４）は固定具（３１）に係止される。固定具（３１）は、例えば、支持体（３０）と係合することによって、反射シート（３４）を支持体（３０）に固定する。
【００６９】
反射シート（３４）の縁部から支持体（３０）の方向に延出する延出部（３４ｃ）に設けられた第２開口（３４ｄ）に、固定具（３１）の第１貫通孔（３１ｂ）の内面から突出した第１突出部（３１ｃ）が挿通しているため、反射シート（３４）が支持体（３０）上に配置された段階で反射シート（３４）の浮き上がりが防止される。
【００７０】
本発明に係る光源装置は、前記固定具（３１）は、前記第１貫通孔（３１ｂ）の内面から突出し、前記第１突出部（３１ｃ）の突出方向への前記延出部（３４ｃ）の移動を制限する第２突出部（３１ｄ）を有することを特徴とする。
【００７１】
本発明にあっては、固定具（３１）の第１貫通孔（３１ｂ）の内面から第２突出部（３１ｄ）が突出している。第２突出部（３１ｄ）は、第１突出部（３１ｃ）の突出方向への延出部（３４ｃ）の移動を制限しているので、反射シート（３４）及び固定具（３１）の係止が外れにくい。
【００７２】
本発明に係る光源装置は、前記第２突出部（３１ｄ）は前記第１貫通孔（３１ｂ）の貫通方向に長い柱状をなすことを特徴とする。
【００７３】
本発明にあっては、第１貫通孔（３１ｂ）の内面から突出する第２突出部（３１ｄ）が、第１貫通孔（３１ｂ）の貫通方向に長い柱状をなすため、第１突出部（３１ｃ）の突出方向への延出部（３４ｃ）の移動が確実に制限される。
【００７４】
本発明に係る光源装置は、前記第２開口（３４ｄ）の前記支持体（３０）側の曲率は、前記周縁側の曲率よりも大きいことを特徴とする。
【００７５】
本発明にあっては、第２開口（３４ｄ）に関して、支持体（３０）側の曲率は反射シート（３４）の周縁側の曲率よりも大きいので、延出部（３４ｃ）に設けられた第２開口（３４ｄ）に、第１貫通孔（３１ｂ）の内面に設けられた第１突出部（３１ｃ）を容易に挿通させることが可能となる。
【００７６】
本発明に係る光源装置は、前記固定具（３１）は、外側に向かって突出する第４突出部（３１ｇ）を有し、前記支持体（３０）は、該第４突出部（３１ｇ）が挿通される第３貫通孔（３０ｃ）を有することを特徴とする。
【００７７】
本発明にあっては、固定具（３１）には外側に向かって突出する第４突出部（３１ｇ）が設けられ、支持体（３０）には第３貫通孔（３０ｃ）が設けられている。支持体（３０）の第３貫通孔（３０ｃ）に固定具（３１）の第４突出部（３１ｇ）が挿通する。これにより、固定具（３１）を支持体（３０）に容易に係合させることができる。
【００７８】
本発明に係る光源装置は、前記固定具（３１）は、前記第１貫通孔（３１ｂ）が設けられた位置にて該第１貫通孔（３１ｂ）の貫通方向に略垂直な方向に突出する第３突出部（３１ｆ）を有し、前記支持体（３０）は、前記第３突出部（３１ｆ）が挿入される第２貫通孔（３０ｄ）を有することを特徴とする。
【００７９】
本発明にあっては、固定具（３１）には、第１貫通孔（３１ｂ）が設けられた位置において、第１貫通孔（３１ｂ）の貫通方向に略垂直な方向に突出する第３突出部（３１ｆ）が更に設けられている。支持体（３０）に設けられた第２貫通孔（３０ｄ）に固定具（３１）の第３突出部（３１ｆ）が挿入される。これにより、固定具（３１）を支持体（３０）に係合させることができる。また、第１貫通孔（３１ｂ）は、反射シート（３４）の延出部（３４ｃ）を挿入するための孔として機能するだけではなく、第１貫通孔（３１ｂ）の貫通方向に略垂直な方向の撓み用の孔として機能する。このため、固定具（３１）に設けられる貫通孔の数が少なく、固定具（３１）の強度が高い。
【００８０】
本発明に係る光源装置は、前記固定具（３１）は、前記反射シート（３４）に略垂直な方向に突出した第５突出部（３１ｈ）を有し、前記反射シート（３４）は、前記縁部に設けられ、前記第５突出部（３１ｈ）が挿通される第３開口（３４ｅ）を有することを特徴とする。
【００８１】
本発明にあっては、固定具（３１）では、反射シート（３４）に略垂直な方向に第５突出部（３１ｈ）が突出している。反射シート（３４）の縁部には第３開口（３４ｅ）が設けられている。そして、固定具（３１）の第５突出部（３１ｈ）が反射シート（３４）の第３開口（３４ｅ）に挿通している。このため、反射シート（３４）が支持体（３０）上に配置された段階で、面に沿った反射シート（３４）の移動が制限される。
【００８２】
本発明に係る表示装置は、画像を表示する表示パネル（２０）と、該表示パネル（２０）に光を照射する前述の光源装置（３）とを備えることを特徴とする。
【００８３】
本発明にあっては、表示パネル（２０）は、前述した光源装置（３）が照射した光を用いて画像を表示する。
【００８４】
本発明に係るテレビジョン受信機は、前述した表示装置（１０）と、テレビジョン放送を受信する受信部（１１）とを備え、該受信部（１１）が受信したテレビジョン放送に基づいて、前記表示装置（１０）に画像を表示することを特徴とする。
【００８５】
本発明にあっては、受信部（１１）が受信したテレビジョン放送に基づいて前述の表示装置（１０）に画像が表示される。
【００８６】
開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８７】
１  テレビジョン受信機
１０  表示装置
１１  受信部
２０  表示パネル
３  光源装置
３０  支持体
３０ｃ  貫通孔（第３貫通孔）
３０ｄ  貫通孔（第２貫通孔）
３１  固定具
３１ｂ  貫通孔（第１貫通孔）
３１ｃ  突出部（第１突出部）
３１ｄ  突出部（第２突出部）
３１ｆ  突出部（第３突出部）
３１ｇ  突出部（第４突出部）
３１ｈ  突出部（第５突出部）
３３  光源
３４  反射シート
３４ａ  開口（第１開口）
３４ｂ  覆部
３４ｃ  延出部
３４ｄ  開口（第２開口）
３４ｅ  開口（第３開口）
【図１】
0006653132.tif 000002
【図２】
0006653132.tif 000003
【図３】
0006653132.tif 000004
【図４】
0006653132.tif 000005
【図５】
0006653132.tif 000006
【図６】
0006653132.tif 000007
【図７】
0006653132.tif 000008
【図８】
0006653132.tif 000009
【図９】
0006653132.tif 000010
【図１０】
0006653132.tif 000011
【図１１】
0006653132.tif 000012
【図１２】
0006653132.tif 000013
【図１３】
0006653132.tif 000014
【図１４】
0006653132.tif 000015
【図１５】
0006653132.tif 000016
【図１６】
0006653132.tif 000017
【図１７】
0006653132.tif 000018